(57)【要約】【課題】  発光器を収容する容器の動きに応じて動く観察対象の発光器を実現する。【解決手段】  万華鏡（10）の発光装置は、筐体（150）と、その筐体の傾斜に応じてその筐体の内部空間内で移動可能な発光器（200）とを具える。内部空間は、筐体の側壁部（154）と、筐体の底板部（152）と、底板部に実質的に平行に配置された透明な板（130）とによって形成される。その筐体の側壁内面には、互いに分離された少なくとも２つの概ね帯状の導電性部材（140, 142）が底板に対して互いに実質的に所定距離だけ離れた位置に配置される。発光器は、概ね柱状の形状を有し、内部に発光素子を含み、透明板と底板の間の距離より小さい高さを有し、透明な板と底板の間の距離より大きい最大寸法を有する。発光器の外側面には、互いに分離された少なくとも２つの概ね帯状の導電性部材（214, 216）が発光器の下端部に対して互いに概ねその所定距離だけ離れた位置に配置される。【選択図】    図１
2005141001.tif 000002
【特許請求の範囲】
【請求項１】
筐体と、前記筐体の動きに応じて前記筐体の内部空間内で移動可能な発光器と、を具えた発光装置であって、
前記内部空間は、前記筐体の側壁部と、前記筐体の底板部と、前記底板部に実質的に平行に配置された透明または半透明な板とによって形成され、
前記筐体の前記側壁部の内面には、互いに分離された少なくとも２つの概ね帯状の導電性部材が前記底板部に対して互いに実質的に所定の距離だけ離れた位置にそれぞれ配置され、
前記発光器は、概ね柱状の形状を有し、内部に発光素子を含み、前記透明または半透明な板と前記底板部の間の距離より小さい高さを有し、前記透明または半透明な板と前記底板部の間の距離より大きい最大寸法を有し、
前記発光器の外側面には、互いに分離された少なくとも２つの概ね帯状の導電性部材が前記発光器の下端部に対して互いに前記所定の距離に概ね等しい距離だけ離れた位置にそれぞれ配置され、
前記発光素子の１つの端子は前記発光器の前記２つの導電性部材のうちの１つの導電性部材に接続され、前記発光素子の別の１つの端子は前記発光器の前記２つの導電性部材のうちの別の１つの導電性部材に接続されていることを特徴とする、発光装置。
【請求項２】
筐体と、前記筐体の動きに応じて前記筐体の内部空間内で移動可能な発光器と、を具えた発光装置であって、
前記内部空間は、前記筐体の側壁部と、前記筐体の底板部と、前記底板部に実質的に平行に配置された透明または半透明な板とによって形成され、
前記透明または半透明な板の前記内部空間側の表面を含むこの表面から前記内部空間における所定の距離までの範囲内の位置に導電性部材が配置され、
前記底板の前記内部空間側の表面を含むこの表面から前記内部空間における所定の距離までの範囲内の位置に別の導電性部材が配置され、
前記発光器は、概ね柱状の形状を有し、内部に発光素子を含み、前記透明または半透明な板と前記底板の間の距離より小さい高さを有し、前記透明または半透明な板と前記底板の間の距離より大きい最大寸法を有し、
前記発光器の外側面には、互いに分離された少なくとも２つの概ね帯状の導電性部材が前記発光器の下端部に対して互いに実質的に所定の距離だけ離れた位置にそれぞれ配置され、
前記発光素子の１つの端子は前記発光器の前記２つの導電性部材のうちの１つの導電性部材に接続され、前記発光素子の別の１つの端子は前記発光器の前記２つの導電性部材のうちの別の１つの導電性部材に接続されていることを特徴とする、発光装置。
【請求項３】
複数の鏡面を含む柱状の主要筐体と、前記主要筐体の一端部に設けられた開孔と、前記開孔と反対側に位置する前記主要筐体の他端部に請求項１または２に記載の発光装置とを具える万華鏡。
【請求項４】
複数の鏡面を含む柱状の主要筐体と、前記主要筐体の一端部に設けられた開孔と、前記開孔と反対側の他端部に配置され開口を有する別の筐体と、を具える万華鏡であって、
前記別の筐体には前記開口に透明または半透明な板が配置されて前記別の筐体内に内部空間が形成され、
前記透明または半透明な板の前記内部空間側の表面を含むこの表面から前記内部空間における所定の距離までの範囲内の位置に導電性部材が配置され、
前記底板の前記内部空間側の表面を含むこの表面から前記内部空間における所定の距離までの範囲内の位置に別の導電性部材が配置されており、
前記２つの導電性部材は電源に接続されていることを特徴とする、万華鏡。
【発明の詳細な説明】
【技術分野】
【０００１】
本発明は、万華鏡および発光器に関し、特に、内部で移動可能な発光器を含む万華鏡に関する。
【背景技術】
【０００２】
従来の市販の万華鏡では、観察対象の華片または具が、万華鏡を持つ手の動きに応じて動いてその模様を変化させるが、華片そのものは光らない。
【０００３】
須藤氏によって２００１年８月１０日付けで公開された特開２００１−２１５４４２号公報には、万華鏡の模様を作り出す色材として、発光ダイオードの点灯光を使用した万華鏡が記載されている。発光ダイオードの点灯及び輝度とそれらの時間的変化を制御する回路を有する。万華鏡の模様を作り出す色材として、発光ダイオードの点灯光を使用する。万華鏡の模様を作り出す色材を配置する位置に発光ダイオードを配置し、発光ダイオードの点灯及び輝度とそれらの時間的変化を制御する回路を設ける。しかし、その発光ダイオードは、万華鏡を持つ手の動きに応じて空間的に自由に移動することはない。
【特許文献１】特開２００１−２１５４４２号公報
【０００４】
発明者は、万華鏡を持つ手の動きに応じて動く観察対象の具または華片そのものが光るようにすれば、万華鏡の装飾性および表現力が向上すると考えた。
【発明の開示】
【発明が解決しようとする課題】
【０００５】
本発明の目的は、発光器を収容する容器の動きに応じて動く観察対象の発光器を実現することである。
【０００６】
本発明の別の目的は、発光器を収容する容器の動きに応じて動く発光器への給電を実現することである。
【０００７】
本発明のさらに別の目的は、発光器を収容する容器の動きに応じて点滅する発光器への給電を実現することである。
【課題を解決するための手段】
【０００８】
本発明の特徴によれば、発光装置は、筐体と、その筐体の動きに応じてその筐体の内部空間内で移動可能な発光器と、を具えている。その内部空間は、その筐体の側壁部と、その筐体の底板部と、その底板部に実質的に平行に配置された透明または半透明な板とによって形成される。その筐体の側壁の内面には、互いに分離された少なくとも２つの概ね帯状の導電性部材がその底板に対して互いに実質的に所定の距離だけ離れた位置にそれぞれ配置されている。その発光器は、概ね柱状の形状を有し、内部に発光素子を含み、その透明または半透明な板とその底板の間の距離より小さい高さを有し、その透明または半透明な板とその底板の間の距離より大きい最大寸法を有する。その発光器の外側面には、互いに分離された少なくとも２つの概ね帯状の導電性部材がその発光器の下端部に対して互いに前記所定の距離に概ね等しい距離だけ離れた位置にそれぞれ配置されている。その発光素子の１つの端子はその発光器のその２つの導電性部材のうちの１つの導電性部材に接続され、その発光素子の別の１つの端子はその発光器のその２つの導電性部材のうちの別の１つの導電性部材に接続されている。そのような発光装置は万華鏡に組み込むことができる。
【０００９】
上述の筐体の側壁の少なくとも２つの導電性部材に加えて、またはその導電性部材の代わりに、その透明または半透明な板のその内部空間側の表面を含むこの表面からその内部空間における所定の距離までの範囲内の位置に導電性部材が配置され、その底板のその内部空間側の表面を含むこの表面からその内部空間における所定の距離までの範囲内の位置に別の導電性部材が配置されていてもよい。
【００１０】
その発光装置の内部空間には、発光器に中継給電するための中継器、発光器を収容可能であり発光器に中継給電するための概ね帯状の中間給電器、および／または、発光器に給電すべく電池を含む電源器、が収容されていてもよい。発光素子は、複数の端子を有する多色発光ダイオードであってもよい。発光器の導電性部材は互いに分離された複数の導電片に分割されていてもよい。
【００１１】
本発明の別の特徴によれば、万華鏡は、複数の鏡面を含む柱状の主要筐体と、その主要筐体の一端部に設けられた開孔と、その開孔と反対側の他端部に配置され開口を有する別の筐体と、具えている。その別の筐体にはその開口に透明または半透明な板が配置されてその別の筐体内に内部空間が形成される。その透明または半透明な板のその内部空間側の表面を含むこの表面からその内部空間における所定の距離までの範囲内の位置に導電性部材が配置されている。その底板のその内部空間側の表面を含むこの表面からその内部空間における所定の距離までの範囲内の位置に別の導電性部材が配置されている。その２つの導電性部材は電源に接続されている。その別の筐体の側壁の内面には、互いに分離された少なくとも２つの概ね帯状の導電性部材が同軸的に互いに実質的に一定の距離だけ離れた位置に配置され、その２つの導電性部材は電源に接続されていてもよい。
【００１２】
本発明によれば、発光器を収容する容器の動きに応じて動く観察対象の発光器を実現することができ、その容器の動きに応じて動く発光器への給電を実現を実現することができ、また、その容器の動きに応じて点滅する発光器への給電を実現することができる。
【発明を実施するための最良の形態】
【００１３】
本発明の実施形態を、図面を参照して説明する。図面において、同様の構成要素には同じ参照番号が付されている。
【００１４】
図１は、本発明の実施形態による万華鏡１０の透視図である。図２は、図１の万華鏡１０の分解図である。図３は、図１の万華鏡１０の長手方向の中心軸に沿った垂直断面図である。図４Ａおよび４Ｂは、それぞれ、図３における線４Ａ−４Ａ’に沿った断面図と、線４Ｂ−４Ｂ’に沿った断面図である。
【００１５】
図１〜４Ｂを参照すると、万華鏡１０は、概ね円筒状の形状を有しており、円筒状主要筐体１２０と、円筒状主要筐体１２０内に多角柱の形状をなすように配置され内側に反射鏡面を有する複数の（例えば３枚の）長方形状の鏡１２２と、覗くための開口１１２を有する接眼板１１０と、プラスチック製または硝子製の光透過性の即ち透明または半透明な円形の板１３０（以下、単に透明板という）と、華片としての円柱状の複数の発光筒体２００と、発光筒体２００を収容するための凹所を有するプラスチック製または紙性の円筒状の発光筒体収容筐体１５０と、電池を含み場合によっては電源制御回路をも含む電源４００と、を具えている。透明板１３０は、上面または底面に凹凸が形成されていたり、屈折率の異なる２種類の材料が交互に配列されて形成されてもよく、それによって光を乱反射するものであってもよい。
【００１６】
発光筒体収容筐体１５０の凹所は円形の底板１５２および円筒状の側壁１５４によって形成され、その側壁１５４の内面には、底板１５２に対して互いに実質的に一定の間隔だけ離れた位置に配置された円環状または帯状の２つの導電性部材１４０および１４２が設けられている。そのような導電性部材は、後で説明するように２つより多く設けてもよい。発光筒体収容筐体１５０の円形の底板１５２は、プラスチック製または硝子製の透明または半透明な円形の板であってもよい。筐体１５０内の導電性部材１４０および１４２は、円形板１３０と発光筒体収容筐体１５０と円形板１３０とによって形成される内部空間における発光筒体２００の動きに応じて発光筒体２００に接触することによって、発光筒体２００へ給電する。
【００１７】
発光筒体２００は、透明な円形板１３０と発光筒体収容筐体１５０によって筐体１５０の凹所内に形成された内部空間において、万華鏡１０の長軸に垂直な面において自由に移動することができる。導電性部材１４０および１４２には給電用の導電性部材１４１および１４３がそれぞれ接続されており、導電性部材１４１および１４３にはそれぞれ導電線１４４および１４６が接続されている。導電性部材１４０と１４３は電気的に短絡することがないように導電性部材１４０における導電性部材１４３と接触する面は絶縁材料層１４５が被着されている。導電線１４４および１４６はスイッチ（図示せず）を介して外部電源または内部の電源４００に接続されている。
【００１８】
図５は、本発明の別の実施形態による万華鏡１２の透視図である。図６は、図５の万華鏡１２の分解図である。図７は、図５の万華鏡１２の長手方向の中心軸に沿った垂直断面図である。図８Ａ、８Ｂおよび８Ｃは、それぞれ、図７における線８Ａ−８Ａ’に沿った断面図と、線８Ｂ−８Ｂ’に沿った断面図と、８Ｃ−８Ｃ’に沿った断面図である。
【００１９】
図５〜８Ｃを参照すると、万華鏡１２は、鏡１２２の発光筒体収容筐体１５０側の端部と、発光筒体収容筐体１５０側の透明な円形板１３０との間に、別の透明な円形の板１３２と、様々な形状の透明な色付きの複数の華片１３４を収容するための中空の円筒状筐体１３６と、を具えている。複数の華片１３４は、透明な円形板１３０および１３２の間の円筒状筐体１３６内の空間において自由に移動することができる。万華鏡１２のその他の構成は、図１〜４Ｂの万華鏡１０と同様である。この場合、華片１３４の量が多い場合は、発光筒体２００は、直接見ることはできる可能性は低く、主として複数の華片１３４のカラフルなバックライトとして機能する。華片１３４は発光筒体２００の光を乱反射し、美しい模様を作り出す。
【００２０】
図９は、発光筒体２００の構造を示している。図１１は、発光筒体２００の分解図である。発光筒体２００は、例えばプラスチック製またはビニール製のチューブでできた中空の円筒状の絶縁部材２１２と、絶縁部材２１２の外周面の上側に固定された円環状または帯状の導電性部材２１４と、導電性部材２１４から実質的に一定間隔だけ離れた位置にその外周面の下側に配置された円環状または帯状の導電性部材２１６と、絶縁部材２１２の内部に発光ダイオード２０２と、を具えている。発光筒体２００において、発光ダイオード２０２は、その樹脂モールドされたＬＥＤ素子部が万華鏡１０、１２の接眼板１１０に向けて配置される。
【００２１】
図１０は、接触する発光筒体２００に給電するための中継給電用筒体２６０の構造を示している。中継給電用筒体２６０は、非発光筒体であり、図９および１１における発光ダイオード２０２を省いたときの発光筒体２００の構造と同じ構造を有し、絶縁部材２１２と、導電性部材２１４と、導電性部材２１６とを具えている。中継給電用筒体２６０は、図１および５における発光筒体２００といっしょに用いられて発光筒体２００に給電する機能を有し、非発光領域を形成する。発光筒体２００と中継給電用筒体２６０によって、発光筒体収容筐体１５０における発光領域と非発光領域を適度に分散配置することができ、万華鏡１０および１２の模様に光の空間的変化を与えることができる。また、万華鏡１０、１２を動かすことによって、発光筒体２００の発光について時間的変化と空間的移動の変化とを与えることができる。
【００２２】
図１２Ａ〜１２Ｆは、発光筒体２００内の１つまたは２つの発光ダイオード２０２および／または２０３の配置および配線を示している。
【００２３】
図１２Ａにおいて、発光ダイオード２０２の１本のリード線は導電性部材２１４に接続されており、発光ダイオード２０２の別の１本のリード線は導電性部材２１６に接続されている。図１２Ｂにおいて、１つの発光ダイオード２０２の１本のリード線は導電性部材２１４に接続されており、別の発光ダイオード２０３の１本のリード線は導電性部材２１６に接続されている。発光ダイオード２０２および２０３の互いに逆の極性の残りのリード線が互いに接続されている。図１２Ｃにおいて、発光ダイオード２０２の１本のリード線は導電性部材２１４に接続されており、発光ダイオード２０２の別の１本のリード線は導電性部材２１６に接続されており、発光ダイオード２０３の１本のリード線は導電性部材２１４に接続されており、発光ダイオード２０３の別の１本のリード線は導電性部材２１６に接続されている。発光筒体２００は、供給電圧を調整するための、発光ダイオード２０２および／または２０３に直列に接続された抵抗を内部に含んでいてもよい。
【００２４】
図１２Ｄの発光ダイオード２０２および２０３は図１２Ｃと同じ形態で接続されているが、図１２Ｄでは、導電性部材２１４に接続された発光ダイオード２０２および２０３のリード線は共に同じ極性を持ち、導電性部材２１６に接続された発光ダイオード２０２および２０３の他のリード線は共に同じ逆極性を持つ。図１２Ｅおよび１２Ｆの発光ダイオード２０２は図１１Ａと同じ形態で接続されているが、導電性部材２１４に接続された図１２Ｅと１２Ｆの発光ダイオード２０２のリード線は互いに逆の極性を持ち、導電性部材２１６に接続された図１２Ｅと１２Ｆの発光ダイオード２０２の他のリード線は互いに逆の極性を持つ。図１２Ｅの発光ダイオード２０２と図１２Ｆの発光ダイオード２０２とは、発光筒体収容筐体１５０内に収容されて、導電性部材１４０および１４２に接触することによって、かつ導電性部材１４０および１４２に接続される電源の極性の切換に応じて、いずれの発光ダイオードが発光するかが時間的に変化する。
【００２５】
図１３は、発光筒体２００の寸法形状を示している。円柱状の発光筒体２００の中心軸方向の長さｈは、透明円形板１３０と発光筒体収容筐体１５０の底板１５２の内面の間の距離ｌより幾分短いが、円柱状の発光筒体２００の最長寸法である対角寸法ｄは、透明円形板１３０と筐体１５０の底板１５２の内面の間の距離ｌより幾分長い。この寸法形状によって、発光筒体２００は、万華鏡１０および１２がどのような傾斜配置をとっても筐体１５０中で転倒することなく発光ダイオード２００の光が概ね同じ方向に放射されるように構成されている。
【００２６】
図１４は、発光筒体収容筐体１５０の内部空間に配置された複数の発光筒体２２０、２２４および２２８への給電の状態を示している。図１４において、筐体１５０は左側に傾斜し、発光筒体２２０、２２４および２２８はその左側に互いに接触して集まっているものとする。発光筒体２２０の上側の導電性部材２２２は、筐体１５０の側壁１５２の内面の上側の導電性部材１４０に接触して給電を受ける。発光筒体２２０の下側の導電性部材２２３は、筐体１５０の側壁１５２の内面の下側の導電性部材１４２に接触して給電を受ける。同様に、発光筒体２２４の上側の導電性部材２２６は、発光筒体２２０の上側の導電性部材２２２に接触して給電を受ける。発光筒体２２４の下側の導電性部材２２７は、発光筒体２２０の下側の導電性部材２２３に接触して給電を受ける。同様に、発光筒体２２８の上側の導電性部材２３０は、発光筒体２２４の上側の導電性部材２２６に接触して給電を受ける。発光筒体２２８の下側の導電性部材２３１は、発光筒体２２４の下側の導電性部材２２７に接触して給電を受ける。発光筒体２２０、２２４および２２８の中のいずれかが図１０に示された発光しない中継給電用筒体２６０に置き換えられてもよい。
【００２７】
図１５Ａ〜１５Ｄは、発光筒体収容筐体１５０の内部空間に配置された発光筒体２０２、２０４、２０８および２１０への給電の状態を示している。図１５Ｃにおいて、発光筒体２０４および２０８は発光筒体２０２に接触して発光筒体２０２から給電を受ける。図１５Ｄにおいて、発光筒体２０４は、筐体１５０の導電性部材１４０（および１４２）に接触する発光筒体２０２および２１０に接触して発光筒体２０２および２１０から給電を受け、発光筒体２０８は、発光筒体２０４に接触して発光筒体２０２から給電を受ける。発光筒体２０２、２０４、２０８、２１０は軸方向に垂直な直径方向の大きさが異なるものを含み、それによって空間的な発光位置の配置の組み合わせが増加する。
【００２８】
図１６Ａ〜１６Ｃは、発光筒体２０２および２０４を含む発光筒体収容筐体１５０の斜視図を示している。図１６Ｂおよび１６Ｃにおいて、発光筒体２０２および２０４の内部の発光ダイオードは図１２Ｅおよび１２Ｆに示されているように互いに逆の極性で接続されており、導電性部材１４０および１４２に接続される電源の極性の変化に応じて、発光筒体２０２および２０４のうちのいずれが発光するかが変化する。例えば、電源４００と導電性部材１４０および１４２の間に手動スイッチ（図示せず）を接続して発光筒体２０２および２０４への給電電流の極性を手動で反転できるようにしてもよい。
【００２９】
図１７Ａ〜１７Ｅは、発光筒体２００の２つの導電性部材２１４および２１６の様々な形状を示している。図１７Ａにおいて、導電性部材２１４および２１６は歯車形状の凹凸がその外周面に形成されている。図１７Ｂにおいて、導電性部材２１４および２１６は雄ネジ形状の螺旋状または多重円状の山線および谷線がその外周面に形成されている。図１７Ｃにおいて、導電性部材２１４および２１６は多数の針状の突状部がその外周面に形成されている。図１７Ｄにおいて、導電性部材２１４および２１６は四角形の環状に形成されている。図１７Ｅにおいて、導電性部材２１４および２１６は星形の環状に形成されている。図１７Ａ、１７Ｂ、１７Ｄおよび１７Ｅにおいて、導電性部材２１４と２１６の形状は概ね互いに円柱または多角柱の中心軸方向に平行移動した形状を有する。
【００３０】
図１８Ａおよび１８Ｂは、発光筒体２００に給電するための、発光筒体２００および中継給電用筒体２６０と同じ外観を有する円柱状のバッテリ筒体２５０の構造を示している。バッテリ筒体２５０は、発光筒体２００および中継給電用筒体２６０と共に発光筒体収容筐体１５０内に収容されて、発光筒体２００と接触することによって発光筒体２００に給電することができる。バッテリ筒体２５０は、中空の円筒状の絶縁部材２１２と、その外周壁の上側に開口１１２に向けて配置される円環状の導電性部材２１４と、導電性部材２１４から所定距離だけ離れた位置にその外周面の下側に配置される円環状の導電性部材２１６と、絶縁部材２１２の内部に１つまたは直列に重ねられた複数のボタン電池２５２と、を具えている。ボタン電池２５２の一方の極は導電性部材２１４に接続され、その他方の極は導電性部材２１６に接続される。バッテリ装置２５０は、供給電圧を調整するための、ボタン電池２５２に直列に接続された抵抗を内部に含んでいてもよい。バッテリ筒体２５０内の底部に、電池２５２と直列に接続されるような形態で磁気的近接スイッチを組み込んでおき、発光筒体収容筐体１５０の底板１５２における磁気的操作によって（底板１５２中またはその外部において近接スイッチに磁石を近づけたり遠ざけたりして）その近接スイッチを動作させて、バッテリ筒体２５０の給電をオン／オフ制御してもよい。
【００３１】
図１９は、発光筒体２００へ給電するための別の導電性部材３４４および３４５の配置を示している。導電性部材３４４は、針状の導電体であり、その基部が透明な円形板１３０に挿入されて固定され、針状先端部が発光筒体収容筐体１５０内の内部空間中に所定の長さ分だけ突出するように配置されている。導電性部材３４５は、同様に針状の導電体であり、その基部が発光筒体収容筐体１５０の底板１５２に挿入されて固定され、底板１５２の内面における給電部材３４４と対向する位置に、発光筒体収容筐体１５０内の内部空間中に所定の長さ分だけ突出するように配置されている。導電性部材３４４および３４５は電源４００に接続されている。発光筒体２００は、その給電部材２１４および２１６が針状の給電部材３４４および３４５にそれぞれ接触することによって、給電部材３４４および３４５から給電を受ける。
【００３２】
図２０は、発光筒体２００へ給電するためのさらに別の給電ロッド３４７の配置を示している。給電ロッド３４７は、互いに分離された導電性部材３４８および３４９を有する。給電ロッド３４７は、透明な円形板１３０と発光筒体収容筐体１５０の底板１５２に固定されており、図１０に示された中継給電用筒体２６０に類似した構造を有し、円筒状の絶縁部材３４２、円環状または帯状の給電部材３４８と、給電部材３４８から所定の距離だけ離れた位置に配置される円環状または帯状の給電部材３４９とを具えている。導電性部材３４８および３４９は電源４００に接続されている。発光筒体２００は、その給電部材２１４および２１６が給電部材３４８および３４９にそれぞれ接触することによって、給電部材３４８および３４９から給電を受ける。
【００３３】
図２１Ａ〜２１Ｃは、発光筒体２００へ給電するためのさらに別の導電性の板または細条の部材３５２および３５３の配置を示している。導電性部材３５２および３５３は、図２１Ｂおよび２１Ｃに示されているのように、任意の形状を有する導電性の板または細条片または網状であり、内部に開口が形成されていてもよい。導電性部材３５２は、透明な円形板１３０の発光筒体収容筐体１５０側の面にその少なくとも一部が固着されている。導電性部材３５３は、発光筒体収容筐体１５０の底板１５２の内面の位置にその少なくとも一部が固着されている。発光筒体２００は、発光筒体２００の給電部材２１４（その上端）および２１６（その下端）が給電部材３５２および３５３にそれぞれ接触することによって、給電部材３５２および３５３から給電を受ける。導電性部材３５２および３５３と発光筒体２００の導電性部材２１４および２１６との間の接触を良好にするために、底板１５２における導電性部材３５３の側に概ね均一な軸方向の弱い弾性を有する部材１５３、例えば空気若しくは圧縮空気を含むバッグまたはバネを含む小さな筐体を、組み込んでもよい。
【００３４】
図２２Ａ〜２２Ｅは、図９および図１１に示されている発光筒体２００を変形した他の発光筒体２４０ａ〜２４０ｅの構造をそれぞれ示している。図２２Ａにおいて、発光筒体２４０ａは、３本のリード線を有する２色発光ダイオード２０２ａを含み、下側の導電性部材２１６ａは互いに分離された実質的に同形の２つの弧状部分から構成されていて、それぞれの部分に同じ極性の異なる発光色用のリード線が接続されている。図２２Ｂにおいて、発光筒体２４０ｂは、３本のリード線を有する２色発光ダイオード２０２ｂを含み、さらに導電性部材２１４、２１６および２１８を含み、導電性部材２１６および２１８に同じ極性の異なる発光色用のリード線が接続されている。図２２Ｃにおいて、発光筒体２４０ｃは、４本のリード線を有する３色発光ダイオード２０２ｃを含み、さらに導電性部材２１４、２１６ａおよび２１８を含み、下側の導電性部材２１６ａは互いに分離された実質的に同形の２つの弧状部分から構成されていて、それぞれの部分に同じ極性の異なる発光色用のリード線が接続されており、さらに、導電性部材２１８にも同じ極性の別の発光色用のリード線が接続されている。図２２Ｄにおいて、発光筒体２４０ｄは、４本のリード線を有する３色発光ダイオード２０２ｄを含み、下側の導電性部材２１６ｄは互いに分離された実質的に同形の３つの弧状部分から構成されていて、それぞれの部分に同じ極性の異なる発光色用のリード線が接続されている。図２２Ｅにおいて、発光筒体２４０ｅは、４本のリード線を有する３色発光ダイオード２０２ｅを含み、さらに導電性部材２１４、２１６、２１８および２１９を含み、導電性部材２１６、２１８および２１９に同じ極性の異なる発光色用のリード線が接続されている。発光筒体２４０ａ〜２４０ｅは、供給電圧を調整するための、発光ダイオード２０２ａ〜２０２ｅの端子に直列に接続された抵抗を内部に含んでいてもよい。
【００３５】
図２３は、図２２Ｂ、２２Ｃおよび２２Ｅに示されている発光筒体に使用される発光筒体収容筐体１５０の導電性部材１４０、１４２、１４４および１４５の配置を示している。導電性部材１４０、１４２、１４４および１４５は、円環状または帯状の２つの導電性部材であって、底板１５２に対して互いに実質的に一定の間隔だけ離れた位置に配置されている。発光筒体収容筐体１５０の導電性部材１４４は、図２２Ｂ、２２Ｃおよび２２Ｅの発光筒体２４０ｂ、２４０ｃおよび２４０ｅの導電性部材２１８に接触してそれに導通し、導電性部材１４５は、図２２Ｅの発光筒体２４０ｅの導電性部材２１９に接触してそれに導通する。
【００３６】
発光筒体２４０ｂ、２４０ｃおよび２４０ｅに給電するための中継給電用筒体（図１０）は、図１０の構造の代わりに、発光ダイオードを含まない発光筒体２４０ｂおよび２４０ｅと同様の導電性部材の配置を有する。発光筒体２４０ｂ、２４０ｃおよび２４０ｅに給電するためのバッテリー筒体は、図１８に示されているのと同様のボタン電池を含み、図１８の構造の代わりに発光ダイオードを含まない発光筒体２４０ｂおよび２４０ｅと同様の導電性部材の配置を有する。
【００３７】
図２４は、発光筒体収容筐体１５０内に複数の発光筒体２００および２００’とともに図２２Ａの発光筒体２４０ａを収容したときの互いの接触状態の例を示している。図示された接触状態では、導電性部材２１６ａの２つの弧状部分は互いに分離しているので、発光筒体２４０ａの１つの色が発光しても他の色は発光せず、また、発光筒体２４０ａに接触する別の発光筒体２００’は、導電性部材２１６ａからは給電を受けない。発光筒体２４０ａの代わりに図２２Ｃの発光筒体２４０ｃが用いられ、発光筒体２００’が図２２Ｂの発光筒体２４０ｂである場合は、発光筒体２００’は発光筒体２４０ｃの導電性部材２１８を介して給電を受けることができる。
【００３８】
図２５Ａおよび２５Ｂは、発光筒体収容筐体１５０内に配置され、発光筒体２００を収容可能な環状の中間給電筒体１６０の構造を示している。環状の中間給電筒体１６０は、発光筒体２００を収容可能な円筒状または円環状の絶縁枠を有し、その枠の外壁と内壁に導電性部材１６２、１６４、１６６および１６８を有する。その環状の中間給電筒体１６０およびその枠は、完全に閉じた円環である必要はなく、円環の一部が開いた弧状であってもよい。図示されていないが、１組の導電性部材１６２と１６６は互いに電気的に接続されており、他の１組の導電性部材１６４と１６８は互いに電気的に接続されている。中間給電筒体１６０を用いることによって、発光筒体収容筐体１５０内で発光筒体２００を空間的に適度に分散配置させ、中間給電筒体１６０の発光筒体収容筐体１５０との接触状態に応じて中間給電筒体１６０内で発光筒体２００を発光させることができることができる。図２３の発光筒体収容筐体１５０に用いられる中間給電筒体１６０は、発光筒体２４０ｂ、２４０ｃおよび２４０ｅを収容するために、図２３の導電性部材１４４および１４５に対応する高さにおいて、その外壁と内壁に、対応する他の２組の環状または帯状の導電性部材が同様の形態で設けられる。
【００３９】
図１、図５、図１９〜２１Ｃ、および図２５Ａおよび２４Ｂに示された発光筒体２００へ給電するための導電性部材の配置および中間給電筒体は任意の組み合わせで用いてもよい。
【００４０】
図２６は、四角筒状の外形を有する発光筒体収容筐体１５０を示している。
【００４１】
図２７は、発光筒体収容筐体１５０の外壁を歯車状に形成し、それに別の歯車１５４を係合させてモータで回転させて、発光筒体収容筐体１５０内の発光筒体２００を動かすようにした構成を示している。
【００４２】
図２８は、万華鏡１２の開口１１２の前に少なくとも１つのレンズを配置してスクリーンまたは壁面に焦点を合わせる投射型の万華鏡１２を示している。それによって、発光筒体２００や華片１３４をスクリーン等に映写することができる。
【００４３】
複数の発光筒体２００を収容した透明円形板１３０付き発光筒体収容筐体１５０は、それ自体が、円筒状主要筐体１２０なしで、万華鏡としてではなく、光る装飾品として用いることができる。図２７に示されているように時計と組み合わせることもできる。また、図２７の長針および短針１５６で複数の発光筒体２００を自動的に動かす（掻き混ぜる）ようにしてもよい。そのような時計は、サイズを大きくして、壁掛け時計として使用することもできる。
【００４４】
図２９および３０は、複数の発光筒体２００を収容した発光筒体収容筐体１５０の他の利用形態を示している。複数の発光筒体２００を収容した発光筒体収容筐体１５０は、図２９に示されているように床上で回転させたり、図３０に示されているように手で振ることによって発光状態が変化する玩具として用いてもよい。
【００４５】
図３１は、万華鏡１０が回転したときに給電線が捩れるのを防止する中継給電手段４０６を介して、交流電源４０２からＡＣアダプタ４０４を介して直流給電を受ける万華鏡１０を示している。
【００４６】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【図面の簡単な説明】
【００４７】
【図１】図１は、本発明の実施形態による万華鏡の透視図である。
【図２】図２は、図１の万華鏡の分解図である。
【図３】図３は、図１の万華鏡の長手方向の中心軸に沿った垂直断面図である。
【図４】図４Ａおよび４Ｂは、それぞれ、図３における線４Ａ−４Ａ’に沿った断面図と、線４Ｂ−４Ｂ’に沿った断面図である。
【図５】図５は、本発明の別の実施形態による万華鏡１２の透視図である。
【図６】図６は、図５の万華鏡の分解図である。
【図７】図７は、図５の万華鏡の長手方向の中心軸に沿った垂直断面図である。
【図８】図８Ａ、８Ｂおよび８Ｃは、それぞれ、図７における線８Ａ−８Ａ’に沿った断面図と、線８Ｂ−８Ｂ’に沿った断面図と、線８Ｃ−８Ｃ’に沿った断面図である。
【図９】図９は、発光筒体の構造を示している。
【図１０】図１０は、発光筒体に給電するための給電用筒体の構造を示している。
【図１１】図１１は、発光筒体の分解図である。
【図１２】図１２Ａ〜１２Ｆは、発光筒体内の１つまたは２つの発光ダイオードの配置および配線を示している。
【図１３】図１３は、発光筒体の寸法を示している。
【図１４】図１４は、発光筒体収容筐体の内部空間に配置された複数の発光筒体への給電の状態を示している。
【図１５】図１５Ａ〜１５Ｄは、発光筒体収容筐体の内部空間に配置された発光筒体への給電の状態を示している。
【図１６】図１６Ａ〜１６Ｃは、発光筒体を含む発光筒体収容筐体の斜視図を示している。
【図１７】図１７Ａ〜１７Ｅは、発光筒体の２つの導電性部材の様々な形状を示している。
【図１８】図１８Ａおよび１８Ｂは、発光筒体に給電するための、発光筒体および給電用筒体と同じ外観を有する円柱状のバッテリ筒体の構造を示している。
【図１９】図１９は、発光筒体へ給電するための別の給電部材の配置を示している。
【図２０】図２０は、発光筒体へ給電するためのさらに別の給電ロッドの配置を示している。
【図２１】図２１Ａ〜２１Ｃは、発光筒体へ給電するためのさらに別の導電性部材の配置を示している。
【図２２】図２２Ａ〜２２Ｅは、図９および図１１に示されている発光筒体を変形した他の発光筒体の構造をそれぞれ示している。
【図２３】図２３は、図２２Ｂ、２２Ｃおよび２２Ｅに示されている発光筒体に使用される発光筒体収容筐体の導電性部材の配置を示している。
【図２４】図２４は、発光筒体収容筐体内に複数の発光筒体とともに図２２Ａの発光筒体を収容したときの互いの接触状態の例を示している。
【図２５】図２５Ａおよび２５Ｂは、発光筒体収容筐体内に配置され、発光筒体を収容可能な中間給電筒体の構造を示している。
【図２６】図２６は、四角筒状の外形を有する発光筒体収容筐体を示している。
【図２７】図２７は、発光筒体収容筐体の外壁を歯車状に形成し、それに別の歯車を接触させてモータで回転させ、発光筒体収容筐体内の発光筒体を動かすようにした構成を示している。
【図２８】図２８は、万華鏡の開口の前にレンズ配置してスクリーンまたは壁面に焦点を合わせる投射型の万華鏡を示している。
【図２９】図２９は、複数の発光筒体を収容した発光筒体収容筐体の別の利用形態を示している。
【図３０】図３０は、複数の発光筒体を収容した発光筒体収容筐体のさらに別の利用形態を示している。
【図３１】図３１は、万華鏡が回転しても給電線が捩れることのない、回転可能な給電手段を介して給電を受ける万華鏡を示している。
【符号の説明】
【００４８】
１０  万華鏡
１２０  円筒状主要筐体
１２２  鏡
１３０  透明な円形板
１４０、１４２  導電性部材
１５０  発光筒体収容筐体
２００  発光筒体
【図１】
2005141001.tif 000003
【図２】
2005141001.tif 000004
【図３】
2005141001.tif 000005
【図４】
2005141001.tif 000006
【図５】
2005141001.tif 000007
【図６】
2005141001.tif 000008
【図７】
2005141001.tif 000009
【図８】
2005141001.tif 000010
【図９】
2005141001.tif 000011
【図１０】
2005141001.tif 000012
【図１１】
2005141001.tif 000013
【図１２】
2005141001.tif 000014
【図１３】
2005141001.tif 000015
【図１４】
2005141001.tif 000016
【図１５】
2005141001.tif 000017
【図１６】
2005141001.tif 000018
【図１７】
2005141001.tif 000019
【図１８】
2005141001.tif 000020
【図１９】
2005141001.tif 000021
【図２０】
2005141001.tif 000022
【図２１】
2005141001.tif 000023
【図２２】
2005141001.tif 000024
【図２３】
2005141001.tif 000025
【図２４】
2005141001.tif 000026
【図２５】
2005141001.tif 000027
【図２６】
2005141001.tif 000028
【図２７】
2005141001.tif 000029
【図２８】
2005141001.tif 000030
【図２９】
2005141001.tif 000031
【図３０】
2005141001.tif 000032
【図３１】
2005141001.tif 000033